(57)【要約】【課題】被処理水中のスラッジに対して気泡が十分に付着し、効率良く浮上分離処理を行うことができる加圧浮上分離装置を提供する。【解決手段】凝集処理水は、流出口５１を通って混合室２０に流入し、槽体底面３ｂの幅方向中央に沿って流れる。凝集処理水とノズル２３からの加圧水とは混ざり合いながら隔壁２に沿って上昇する。上昇流は、傾斜した隔壁上部２ｂに案内されて仕切壁１側へ流れ方向を変え、仕切壁１の近傍に到ると該仕切壁１に沿って下降する。隔壁２の上端から仕切壁１へ向う流れは、隔壁２近傍の幅方向中央付近から仕切壁１の幅方向の両側へ分岐する流れとなる。ノズル２３からの吐出水勢によって水面に隆起が生じないように構成されている。【選択図】図１
2008049227.tif 000002
【特許請求の範囲】
【請求項１】
被処理水と加圧水吐出口から供給される加圧水とを混合して混合水とする混合室と、
該混合室の上部から流出した混合水が導入される浮上分離室と
を有する加圧浮上分離装置において、
該加圧水吐出口は、該混合室の底部に、加圧水を該混合室内に略鉛直上向きに吐出するように設置されており、
該加圧水吐出口から該混合室の水面までの距離は、加圧水の所定の平均吐出流量および平均吐出流速において、加圧水の吐出によって該水面の隆起が起きる距離よりも大きいことを特徴とする加圧浮上分離装置。
【請求項２】
請求項１において前記加圧水吐出口は、先端ほど口径が拡大するテーパー状であることを特徴とする加圧浮上分離装置。
【請求項３】
請求項１又は２において、
槽体内が隔壁によって区画されることによって前記混合室と、浮上分離室とが設置され、
該隔壁は、該槽体の底面から立ち上がり、その上端は槽体の水面位よりも下位に位置し、これによって、該隔壁の上側を通って、該混合室から浮上分離室へ混合水が流出するようになっており、
該隔壁は、上部を除いて略鉛直であり、
該隔壁の上部は、前記混合室側へ傾斜しており、
前記加圧水吐出口は、傾斜した該隔壁の該上部の鉛直下方領域に配置されていることを特徴とする加圧浮上分離装置。
【請求項４】
請求項１ないし３のいずれか１項において、加圧水吐出流量が１〜１０ｍ３／ｈｒであることを特徴とする加圧浮上装置。
【請求項５】
請求項１ないし４のいずれか１項において、該加圧水吐出口からの平均吐出流速が０．１〜５ｍ／ｓであることを特徴とする加圧浮上装置。
【請求項６】
請求項３において、前記槽体内が仕切壁と前記隔壁によって区画されることによって凝集反応室と、前記混合室と、前記浮上分離室とがこの順に設置され、
該凝集反応室と該混合室との間に該仕切壁が配置され、
該混合室と該浮上分離室との間に該隔壁が配置され、
該仕切壁の下部に、該仕切壁の幅方向の略中央付近に存在する、該凝集反応室から該混合室の底面に沿って前記隔壁の下部の幅方向中央付近に向って前記被処理水としての凝集反応水を流出させるように流出口が設けられており、
前記加圧水吐出口は該槽体の幅方向の中央付近に配置されていることを特徴とする加圧浮上分離装置。
【発明の詳細な説明】
【技術分野】
【０００１】
本発明は、気体を溶解した加圧水を混合室内において被処理水に添加して混合水とし、この混合水を浮上分離室に流入させ、懸濁物を浮上分離する加圧浮上分離装置に関する。詳しくは、本発明は、凝集剤によって凝集処理された凝集反応水などの被処理水に対し、加圧水を添加して加圧浮上分離処理する加圧浮上分離装置に係り、特に混合室の上部から浮上分離室に混合水を流出させるよう構成した加圧浮上分離装置に関する。
【背景技術】
【０００２】
槽体内を隔壁によって区画して混合室と浮上分離室とを形成した加圧浮上分離装置が特公平７−３８９８４号公報に記載されている。第１６図は同号公報の図１に記載の槽体を示す縦断面図、第１７図及び第１８図は同号公報の図２，３に記載の混気水管と排水管との配置関係図である。
【０００３】
槽体８１内が隔壁８３によって混合室８２と浮上分離室８４とに区画されている。排水は、隔壁８３と反対側の混合室壁面８２ａから突設された排水導入管８５を介して混合室８２内に下向きに導入される。なお、排水導入管８５の末端はＴ字形となっており、水平方向に延在した排水流出用のスリット状開口８６から排水が下向きにカーテン状に流出する。
【０００４】
空気が溶解した加圧水は、加圧水管８８から水平方向に該混合室８２内に供給される。加圧水管８８の末端もＴ字状となっており、多数の吐出口８９が側方向を指向して開設されている。加圧水管８８は排水導入管８５よりも下位に設けられている。排水は、排水導入管８５から下向きに且つカーテン状に流出し、混合室８２の側面８２ａに沿って下向きに流れ、この途中で加圧水管８８から加圧水が添加され、合流する。この合流した水は、混合室壁面８２ａから離れる方向に流れ、次いで隔壁８３に沿って上昇し、混合室８２内を循環する。循環途中の水の一部が、隔壁８３の上端を乗り越えるようにして浮上分離室８４へ流出し、浮上分離処理される。浮上分離されたスラッジは、かき取り機９０によってかき取り物受け９１へかき出され、排出される。
【０００５】
この特公平７−３８９８４号公報には、排水として凝集処理水を用いる点は記載されていないが、凝集処理水を加圧浮上分離処理することは特開昭６４−３４４８７号等に見られる通り周知である。
【特許文献１】特公平７−３８９８４号
【特許文献２】特開昭６４−３４４８７号
【発明の開示】
【発明が解決しようとする課題】
【０００６】
上記特公平７−３８９８４号の加圧浮上分離装置にあっては、加圧水管８８の吐出口８９から加圧水が略水平に吐出される。この加圧水は気泡を多量に含んだ低比重のものであるから、混合室８２内で上昇し、混合室８２内に循環流が形成されるが、加圧水の吐出方向が水平であるため、上昇流の水勢が弱くなり、混合室８２内の循環流のうち隔壁８３に沿う流れが弱くなり、混合室８２内の隅部では循環が不十分となり易く、気泡付着が不十分なフロックが生じるおそれがある。
【０００７】
このようなことから、特公平７−３８９８４号の加圧浮上分離装置は、スラッジに対して気泡が十分には付着しにくく、浮上分離効率が十分に高くはない。
【０００８】
本発明は、被処理水中のスラッジに対して気泡が十分に付着し、効率良く浮上分離処理を行うことができる加圧浮上分離装置を提供することを目的とする。
【課題を解決するための手段】
【０００９】
請求項１の加圧浮上分離装置は、被処理水と加圧水吐出口から供給される加圧水とを混合して混合水とする混合室と、該混合室の上部から流出した混合水が導入される浮上分離室とを有する加圧浮上分離装置において、該加圧水吐出口は、該混合室の底部に、加圧水を該混合室内に略鉛直上向きに吐出するように設置されており、該加圧水吐出口から該混合室の水面までの距離は、加圧水の所定の平均吐出流量および平均吐出流速において、加圧水の吐出によって該水面の隆起が起きる距離よりも大きいことを特徴とするものである。
【００１０】
請求項２の加圧浮上分離装置は、請求項１において、前記加圧水吐出口は、先端ほど口径が拡大するテーパー状であることを特徴とするものである。
【００１１】
請求項３の加圧浮上分離装置は、請求項１又は２において、槽体内が隔壁によって区画されることによって前記混合室と、浮上分離室とが設置され、該隔壁は、該槽体の底面から立ち上がり、その上端は槽体の水面位よりも下位に位置し、これによって、該隔壁の上側を通って、該混合室から浮上分離室へ混合水が流出するようになっており、該隔壁は、上部を除いて略鉛直であり、該隔壁の上部は、前記混合室側へ傾斜しており、前記加圧水吐出口は、傾斜した該隔壁の該上部の鉛直下方領域に配置されていることを特徴とするものである。
【００１２】
請求項４の加圧浮上分離装置は、請求項１ないし３のいずれか１項において、加圧水吐出流量が１〜１０ｍ３／ｈｒであることを特徴とするものである。
【００１３】
請求項５の加圧浮上分離装置は、請求項１ないし４のいずれか１項において、該加圧水吐出口からの平均吐出流速が０．１〜５ｍ／ｓであることを特徴とするものである。
【００１４】
請求項６の加圧浮上分離装置は、請求項３において、前記槽体内が仕切壁と前記隔壁によって区画されることによって凝集反応室と、前記混合室と、前記浮上分離室とがこの順に設置され、該凝集反応室と該混合室との間に該仕切壁が配置され、該混合室と該浮上分離室との間に該隔壁が配置され、該仕切壁の下部に、該仕切壁の幅方向の略中央付近に存在する、該凝集反応室から該混合室の底面に沿って前記隔壁の下部の幅方向中央付近に向って前記被処理水としての凝集反応水を流出させるように流出口が設けられており、前記加圧水吐出口は該槽体の幅方向の中央付近に配置されていることを特徴とするものである。
【００１５】
請求項１ないし６のいずれか１項において、前記加圧水吐出口から該混合室の水面までの距離は、（１）式で規定される距離以上であることが好ましい。
距離（ｍ）＝加圧水の吐出流量（ｍ3/ｈｒ）×０．１５＋０．３２    ・・・（１）
【００１６】
また、請求項１ないし６のいずれか1項において、前記加圧水管の加圧水吐出口から該混合室の水面までの距離は、（２）式で規定される距離以下であることが好ましい。
距離（ｍ）＝加圧水の吐出流量（ｍ3/ｈｒ）×０．１５＋０．９２    ・・・（２）
【発明の効果】
【００１７】
本発明の加圧浮上分離装置にあっては、加圧水吐出口から加圧水が上方に向って吐出するので、該混合室内では、加圧水の吐出水勢と加圧水の低比重による浮力とか重畳し、強力な上昇流が発生し、混合室内の広い範囲にわたって上下循環流が形成される。従って、混合室内に流入した被処理水は、この循環流により、該混合室内で十分加圧水と混ざり合う。この混ざり合った水は、混合室内を循環し、この間にフロックに対し気泡が十分に付着する。このフロックが混合室の上部から浮上分離室内に流入し、浮上分離処理される。
【００１８】
本発明では、この加圧水の吐出口の位置（水深）をある程度深いレベルとし、吐出口から吐出した加圧水の水勢によって混合室水面に隆起が生じないようにしているので、気泡が水面に強く当って気泡が消滅することも防止されるとともに、浮上分離室における短絡流が抑止される。これにより、浮上分離効率が向上する。
【００１９】
ただし、加圧水吐出口の深さが過度に深いと、混合室内の循環が弱くなるおそれがあるので、加圧水吐出口の水深位置は、混合室の水面から〔加圧水の吐出流量（ｍ３／ｈｒ）×０．１５〕に０．３２〜０．９２ｍを加えた範囲とするのが好ましい。
【００２０】
同様に、加圧水吐出口からの平均吐出流速が低いと水面の隆起は抑制されるが、過度に低いと混合室内の循環が弱くなる。逆に流速が大きすぎると混合室の水深を過度に深くする必要があるため好ましくない。このため、加圧水吐出口からの平均吐出流速は０．１〜５ｍ／ｓが好ましい。
加圧水の吐出口を、先端ほど口径が拡大するテーパー形とすることにより、水面の隆起を抑制しつつ、加圧水と被処理水とをソフトに混合することができる。
【００２１】
本発明の加圧浮上分離装置にあっては、被処理水が流出口から混合室内に対し、隔壁幅方向の中央付近に向って流出し、主として混合室底面のうち幅方向中央付近を隔壁に向って流れることが好ましい。この混合室底面の幅方向中央付近に沿う被処理水の流れに対し吐出口から上向きに吐出された加圧水が添加されることが好ましい。また、この流出口及び吐出口は、いずれも混合室底部のうち幅方向の中央付近に設けられており、該幅方向の全体には設けられていないことが好ましい。
【００２２】
このように構成した場合、吐出口から吐出した加圧水と、混合室底面の幅方向中央付近に沿う被処理水とが十分に混ざり合う。しかも、この加圧水の吐出方向が上向き方向であると共に、加圧水は気泡を多量に含んだ低比重のものであるため、被処理水と加圧水との混合水は隔壁に沿ってスムーズに上向きに流れる。
【００２３】
なお、吐出口を幅方向中央付近に設けた場合、混合室内の上昇流は、隔壁近傍の幅方向中央付近で最も強くなる。該中央付近を上昇してきた上昇流は、混合室上部において隔壁から離れる方向に流れ方向を変えるが、この際、隔壁の幅方向に流れ方向が分散するようになる。この結果、混合室内の循環水流は、上下方向に単純に循環するのではなく、この循環途中で隔壁幅方向に分離したり合流したりを繰り返すようになり、混合室内の全域において加圧水と被処理水とが十分に混ざり合う。この結果、フロックに十分な量の気泡が付着するようになる。
【００２４】
この隔壁の上部を混合室側に傾斜させると、隔壁に沿って上昇してきた水が隔壁から離れるように流れ方向を変えるので、混合室内の水が浮上分離室へ短絡的に流出することが防止され、フロックに対して気泡が極めて十分に付着するようになる。なお、隔壁の上部以外は略鉛直であるため、吐出口から上向きに吐出した加圧水に伴って、混合室内の水が該隔壁に沿ってスムーズに上昇する。
【００２５】
傾斜した隔壁の上部の鉛直下方領域に加圧水吐出口を設けておくと、該吐出口から吐出した加圧水による上昇流が隔壁上部の傾斜部に当り、隔壁から離れる方向へ流れ方向を変えるようになる。そのため、上昇してきた水が隔壁を短絡的に乗り越えて浮上分離室へ流れ込むことが確実に防止される。
【００２６】
本発明の加圧浮上分離装置にあっては、槽体内が仕切壁と前記隔壁によって区画されることによって凝集反応室と、前記混合室と、前記浮上分離室とがこの順に設置され、該凝集反応室と該混合室との間に該仕切壁が配置され、該混合室と該浮上分離室との間に該隔壁が配置され、該仕切壁の下部に、該仕切壁の幅方向の略中央付近に存在する、該凝集反応室から該混合室の底面に沿って前記隔壁の下部の幅方向中央付近に向って前記被処理水としての凝集反応水を流出させるように流出口が設けられており、前記加圧水吐出口は該槽体の幅方向の中央付近に配置されている構成としてもよい。
【００２７】
このように構成すると、凝集反応室内の凝集反応水が、仕切壁の下部の流出口を通って混合室内に流入し、該混合室の底面に沿って隔壁へ向って流れる。この流出口からの流出水と混合室内の底面に沿う循環流との流れ方向が合致するため、循環流速が大きくなる。
【発明を実施するための最良の形態】
【００２８】
以下、図面を参照して実施の形態について説明する。第１図は実施の形態に係る加圧浮上分離装置の長手方向の縦断面図、第２図は仕切壁付近の構成を示す断面斜視図、第３図は混合室内の水の循環状況を示す断面図、第４図は第３図のIV−IV線断面図、第５図は第３図のＶ−Ｖ線断面図である。
【００２９】
平面視形状が略長方形の槽体３内が、仕切壁１及び隔壁２によって区画されることにより、凝集反応室１０、混合室２０及び浮上分離室３０がこの順に形成されている。各室１０，２０，３０は槽体３の長手方向に配列されており、仕切壁１及び隔壁２は槽体３の短手方向すなわち幅方向に延設されている。
【００３０】
仕切壁１の上端は、槽体３間の水面より上方に延出している。
この実施の形態では、凝集反応室１０の底を深くして深部５０を設け、この深部５０と混合室２０とを上向きの流出口５１によって連通している。
【００３１】
流出口５１は混合室２０の底面のうち仕切壁１の幅方向の中央付近に沿う位置に設けられている。流出口５１は、深部５０の混合室２０側の縦面５０Ａに沿って上下方向に延在し、深部５０の底面近傍に連通している。
【００３２】
この凝集反応室１０からの凝集処理水が、流れを乱すことなく流出口５１を通り抜け、混合室２０の底面に沿って幅方向中央部を流れ、しかもこの流れが横方向や上方向に広がるのを防ぐために、流出口５１に比較的短いトンネル状のガイド部材４０を設けている。このガイド部材４１は下向きコ字形断面形状であり、後端が仕切壁１に連なり、左右両側面が槽体３の底面３ｂに連なっている。ガイド部材４１は隔壁２に向って開放している。
上記の流出口５１には凝集助剤の添加管５２が設けられている。
【００３３】
隔壁２は、槽体底面３ｂから立設され、その上端は槽体３間の水面よりも下位となっている。
【００３４】
各壁１，２は槽体の両側面３ａに連なっている。
【００３５】
凝集反応室１０へは、原水配管１１を介して原水が導入されると共に、凝集剤及びアルカリ剤が各々の供給配管１２，１３を介して供給可能とされている。凝集反応室１０内の水のｐＨを検知するためのｐＨ計１４が設置され、このｐＨ計１４の検出値が所定範囲となるようにアルカリ剤薬注ポンプ（図示略）が作動される。
【００３６】
凝集剤としてはＰＡＣ等の無機凝集剤の他、各種の有機凝集剤も用いることができ、２種以上の凝集剤を併用してもよい。凝集剤は、凝集剤薬注ポンプ（図示略）によって所定量添加される。凝集反応室１０内の水は撹拌機１５によって静かに撹拌され、凝集処理される。
【００３７】
凝集処理水は、深部５０から流出口５１にて凝集助剤が添加された後、混合室２０に流入し、該混合室２０の幅方向中央付近を槽体底面３ｂに沿って流れる。この槽体底面３ｂのうち、幅方向中央かつ隔壁２に比較的近接して、加圧水吐出用のノズル２３が設けられている。ノズル２３の先端は、槽体底面３ｂと面一であることが好ましいが、底面３ｂから若干突出してもよい。
【００３８】
この実施の形態では、ノズル２３は、先端ほど口径が拡大するテーパー状となっている。この形状とすることにより、ノズル２３の吐出口径を大きくすることができるために、吐出流速を効果的に下げることができる。
【００３９】
この実施の形態では、ノズル２３から上向きに流出した加圧水が混合室２０の水面において隆起を生じさせないようにノズル２３の水深や口径、加圧水製造装置２２のポンプ容量などが設定されている。
【００４０】
なお、ノズル２３の先端の水深位置は、加圧水の吐出流量Ｑ（ｍ３／ｈｒ）に対し、〔０．１５Ｑ＋０．３２〕〜〔０．１５Ｑ＋０．９２〕メートルの間にあることが好ましい。また、ノズル２３からの加圧水の吐出流量は１〜１０ｍ３／ｈｒが好ましい。ノズル２３からの加圧水の平均吐出流速は０．１〜５ｍ／ｓが好ましく、０．１〜１．２ｍ／ｓがより好ましい。
【００４１】
この実施の形態では、浮上分離室３０内の下部から配管２１を介して水を取り出し、加圧水製造装置２２にて空気を加圧溶解させ、この加圧水をノズル２３へ供給する。ここでは、浮上分離室３０内の下部から加圧水用の水を取り出しているが、工水や配管３５からの清浄水を取り出して用いてもよく、特に限定されるものではない。
【００４２】
この実施の形態では、ノズル２３は、後述する傾斜した隔壁上部２ｂの鉛直下方領域に配置されている。また、この実施の形態では、ノズル２３は槽体底面３ｂの幅方向の中央に１個のみ設けられている。
【００４３】
流出口５１からの凝集処理水とノズル２３からの加圧水とは混ざり合いながら主として隔壁２の幅方向中央付近に沿って上昇する。隔壁２は、上部２ｂを除き略鉛直な（好ましくは、鉛直面に対し±１０゜以内の）鉛直部２ａとなっており、該上部２ｂは仕切壁１側へ傾斜している。
【００４４】
上記上昇流は、隔壁２の鉛直部２ａに沿って略鉛直上方へ向って流れる。この上昇流は、次いで、傾斜した隔壁上部２ｂに案内されて仕切壁１側へ流れ方向を変え、仕切壁１の近傍に到ると該隔壁１に沿って下降する下降流となる。隔壁１の下部にまで流れてきた下降流は、流出口１６からの凝集処理水と合流しながら槽体底面３ｂを隔壁２へ向って流れる。このようにして、混合室２内に第３図の如く上下方向の循環流が形成される。そして、循環している間に、凝集フロックに対し加圧水から生じた微細な気泡が付着する。
【００４５】
なお、この混合室２０内の水の循環状況について第３図〜第５図を参照してさらに詳細に説明する。
【００４６】
流出口５１から凝集処理水が混合室２０内に流入し、この流入した水は槽体底面３ｂに沿って該槽体幅方向の中央付近を隔壁２へ向って流れる。
【００４７】
この槽体底面３ｂに沿う流れに対し、ノズル２３から加圧水が上向きに添加される。このノズル２３は、隔壁２に比較的近接して配置されているので、隔壁２に当って流れを上向きに変えようとする流れと、この上向きの加圧水流とが重畳することにより、隔壁２の近傍の槽体幅方向中央部付近において、上方に向う部分的に比較的高流速の上昇流が形成される。隔壁２の両側付近では、比較的低流速の上昇流が形成されるか、又は混合室２０の幅が大きい場合等には、下降流が形成される。
【００４８】
この隔壁２の幅方向中央付近に沿う上昇流は、傾斜した隔壁上部２ｂに当って仕切壁１側へ流れ方向を変えて混合室２０の水面付近を仕切壁１へ向って流れるが、隔壁２の幅方向中央付近の上昇流速が幅方向の両側よりも大きいので、仕切壁１へ向う流れは、第５図のように、隔壁２近傍の幅方向中央付近から仕切壁１の幅方向の両側へ分岐して流れ、次いで仕切壁１に沿って下降し、流出口１６からの流れに伴って槽体底面３ｂの幅方向中央付近に集束するようにして隔壁２へ向って流れる。そして、隔壁２の近傍に到ると、前記の通り幅方向中央側が高流速となるようにして隔壁２に沿って上昇する。
【００４９】
このように、混合室２内では隔壁２に沿う上昇流と仕切壁１に沿う下降流との上下循環に加え、隔壁２に沿って上昇した後、隔壁２から離反するに従って幅方向に広がり、次いで、仕切壁１に沿って下降した後、幅方向中央に集束する幅方向の循環とが重畳した上下及び左右循環流が形成される。このため、混合室２内で凝集処理水と加圧水とが万遍なく混ざり合うようになる。
【００５０】
この実施の形態では、ノズル２３からの吐出水によって混合室２０の水面に隆起が生じないので、フロックが短絡的に隔壁２を乗り越えて浮上分離室３０へ流れることがない。また、フロックが水面に強く当って気泡が消滅することも防止される。
【００５１】
しかも、隔壁上部２ｂが仕切壁１側へ傾斜しており、隔壁２に沿う上昇流が仕切壁１側へ流れ方向を変えるので、上昇してきた水が短絡的に隔壁２を乗り越えて浮上分離室３０へ流れることがない。
【００５２】
この結果、凝集処理水と加圧水とが十分に混ざり合い、フロックに気泡が十分に付着した後、フロックが浮上分離室３０へ供給され、フロックが効率よく浮上分離される。
【００５３】
浮上したフロックは、スキマーやスクレーバ等のかき取り機３１によってスラッジ受入室３２へ排出され、排出管３３を介して取り出される。
【００５４】
なお、浮上分離室３０内で沈降したスラッジは、配管３４を介して排出される。
【００５５】
清浄水は、浮上分離室３０内の下部で且つ隔壁２の近傍に設けられた取出口から配管３５によって抜き出され、水位調整槽（図示略）を介して取り出される。この水位調整槽は、槽体３内の水位を調整するためのものである。
【００５６】
なお、清浄水の取出口の上面と側面は囲い３５ａで囲われており、清浄水はこの囲い３５ａの下端と浮上分離室３０の底面との間を通って囲い３５ａの内側に流入する。この囲い３５ａを設けたことにより、フロックが清浄水に混入することがさらに確実に防止される。
【００５７】
なお、第１図〜第５図に図示の実施の形態における好適な寸法や運転条件の一例を次に説明するが、本発明はこれに限定されるものではない。
【００５８】
ガイド部材４０が隔壁２に向って開放する開口（流出部）の上下寸法は４０〜２５０ｍｍあるいは混合室の水深の５〜３０％程度が好適である。また、この開口（流出部）の幅は、仕切壁１の幅の約３〜５０％であることが好ましく、６〜２０％であることがより好ましい。
【００５９】
混合室２０の容積は、浮上分離室３０の容積の２〜３０％程度が好適である。
【００６０】
隔壁２の上端と水面との距離は５０〜２４０ｍｍあるいは混合室の水深の５〜３０％程度が好適である。
【００６１】
隔壁２の上部２ｂの鉛直からの傾斜角度は３０〜６０゜程度が好適である。
【００６２】
隔壁２の最上端（隔壁上部２ｂの上端）と仕切壁１との水平距離は２０〜２００ｍｍあるいは混合室２０と浮上分離室３０との長手方向の合計長さの２〜１０％程度が好適である。
【００６３】
この隔壁２の最上端と仕切壁１との間における平均上昇流速は０．０１〜０．１ｍ／ｓｅｃ程度が好適である。
【００６４】
隔壁２の傾斜した上部２ｂの鉛直方向の長さは３０〜３００ｍｍあるいは、隔壁２の鉛直方向の全高の５〜３０％程度が好適である。
【００６５】
ノズル２３は、混合室底面と面一であることが好適である。
【００６６】
ノズル２３に加圧水を供給するラインには減圧弁が設けられていることが好ましい。
【００６７】
この凝集反応室１０からの凝集処理水が、流れを乱すことなく流出口５１を通り抜け、混合室２０の底面に沿って幅方向中央部を流れる。
【００６８】
前記の通り、ノズル２３の先端（上端）の水深位置は、〔０．１５Ｑ＋０．３２〕〜〔０．１５Ｑ＋０．９２〕メートル特に〔０．１５Ｑ＋０．４〕〜〔０．１５Ｑ＋０．８〕メートルが好ましい。ノズル２３の水深を上記範囲よりも浅くすると、混合室２０の水面にノズル２３の吐出水勢に起因した隆起が生じ、フロックが短絡的に浮上分離室３０へ流出するおそれがある。一方、ノズル水深が上記範囲よりも深いと、槽体が不必要に高くなるため、設置スペース上およびコスト上問題となる。なお、混合室２０内の滞留時間は１８〜７０秒程度が好ましい。
【００６９】
この実施の形態のように隔壁２の上部が傾斜している場合、隔壁２の上端から鉛直上方に延ばした面を混合室２０と浮上分離室３０との境界として扱うのものとする。
【００７０】
上記実施の形態では、ノズル２３は１個だけ設けられているが、２個以上設けられてもよい。ノズル２３は、混合室底面の幅方向の中央付近に設けられるのが好ましく、特に丁度中央に設けられるのが好ましいが、若干、幅方向の一方に片寄ってもよい。ただし、槽体３を幅方向に３等分した場合、左右を除いた中央領域にノズルが配置されるのが好ましく、特に槽体を幅方向に５等分した場合に中央の１／５の領域にノズルが配置されることが好ましい。
【００７１】
複数個のノズルが槽体長手方向に間隔をおいて設置されてもよい。この場合も、すべてのノズルが隔壁上部２ｂの鉛直下方領域に配置されることが好ましい。
【００７２】
本発明装置は、油分や比較的比重の小さいＳＳ含有水の凝集、加圧、浮上分離に好適であるが、これ以外の各種排水の処理に用いることができる。
【図面の簡単な説明】
【００７３】
【図１】実施の形態に係る加圧浮上分離装置の長手方向の縦断面図である。
【図２】仕切壁付近の構成を示す断面斜視図である。
【図３】混合室内の水の循環状況を示す断面図である。
【図４】第３図のIV−IV線断面図である。
【図５】第３図のＶ−Ｖ線断面図である。
【図６】従来例を示す断面図である。
【図７】第１６図の排水導入管と加圧水管とを示す斜視図である。
【図８】第１６図の排水導入管と加圧水管とを示す断面図である。
【符号の説明】
【００７４】
１  仕切壁
２  隔壁
３  槽体
１０  凝集反応室
１５  撹拌機
２０  混合室
２２  加圧水製造装置
２３  ノズル
３０  浮上分離室
３１  かき取り機
４０  ガイド部材
５０  深部
５１  流出口
【図１】
2008049227.tif 000003
【図２】
2008049227.tif 000004
【図３】
2008049227.tif 000005
【図４】
2008049227.tif 000006
【図５】
2008049227.tif 000007
【図６】
2008049227.tif 000008
【図７】
2008049227.tif 000009
【図８】
2008049227.tif 000010